(57)【特許請求の範囲】
【請求項１】
地中に雨水を貯溜する貯溜部を形成し、該貯溜部の側面上部又は／及び天面部にオーバーフロー部を設けて、該貯溜部の天面及び側面及び底面に、通水部と透水面を有する通水・透水シートを添設し、天面の通水・透水シートは側面に添設された通水・透水シートを折り返すことで添設されていることを特徴とする地下水槽。
【請求項２】
通水・透水シートが、複数の透水孔を形成したシート面を透水面とし、且つ、両面又は片面に設けた多数の凸部相互間の連続空間を通水部としたものであり、該凸部の先端が貯溜部側に位置するように添設されていることを特徴とする請求項１に記載の地下水槽。
【請求項３】
通水・透水シートの両面又は片面を、透水性の被覆材で被覆したことを特徴とする請求項１又は請求項２に記載の地下水槽。
【請求項４】
透水性の被覆材が、不織布又は織布であることを特徴とする請求項３に記載の地下水槽。
【請求項５】
通水・透水シートの凸部の高さが５ｍｍ〜５０ｍｍであると共に貯溜部側に接する凸部先端の面積が１０ｍｍ２〜２５０ｍｍ２で、凸部間のピッチが１０ｍｍ〜１１０ｍｍであることを特徴とする請求項２ないし請求項４に記載の地下水槽。
【請求項６】
通水・透水シートが厚手の不織布又は織布であって、その外側に多数の棒状突起を有する網体、又は、多数の棒状突起と透水部を有するパネル体が添設されていることを特徴とする請求項１に記載の地下水槽。
【請求項７】
貯溜部が、コンクリート、金属、合成樹脂のいずれかで形成された水槽であることを特徴とする請求項１ないし請求項６のいずれかに記載の地下水槽。
【請求項８】
貯溜部が、地中に形成した空間の側面上部又は／及び天面部を除いて遮水シートで被覆し、その遮水シートで被覆していない部分をオーバーフロー部としたものであり、その内部に方形の梁体とその梁体を支持する複数本の支持脚からなる地下水槽用充填材を充填したことを特徴とする請求項１ないし請求項６に記載の地下水槽。
【発明の詳細な説明】
【技術分野】
【０００１】
本発明は、駐車場、公園、敷地などの地下に設けられる地下水槽に関するものである。
【背景技術】
【０００２】
未舗装の道路や空き地が殆どない都市化の進んだ地域では、家屋、駐車場、道路などに降った雨水が地中に浸透することなく、道路の側溝などを通じて河川へ流れ込むため、雨期には大量の雨水が河川へ集中し、短時間で河川の容量を超えて所謂、都市型洪水を引き起こす恐れがある。一方、乾期にはダムや湖の水位が低下して水不足となるため、各地で水道水の給水制限が実施され、庭の植物に充分量の水を与えることも難しくなっている。
【０００３】
このような事情から、地下に雨水貯溜タンクを設けて、雨水を一時貯溜したのち河川などへ徐々に放流するなどして、都市型洪水を防止したり、雨水貯溜タンクに貯溜した雨水を汲み上げて、車の洗車や植物の水やりなどに有効利用するようになってきている。
【０００４】
この雨水貯溜タンクとして、地中に、上部が開口したタンク用凹部空間を構成し、該タンク用凹部空間の底部から周側の途中までをゴムシートなどの非透水性シートで覆って雨水貯溜タンク部とし、該雨水貯溜タンク部の上部を透水性シートで覆うなどして雨水浸透タンク部とした雨水貯溜浸透タンクが知られている（特許文献１）。
【０００５】
上記雨水貯溜浸透タンクは、雨水貯溜タンク部が満水になったとき、その上側の雨水浸透タンク部から雨水を徐々に地中に浸透するようにしたものであるが、雨水浸透タンク部からしか雨水が地中に浸透していかないため、排水効率が悪く、豪雨のときのように雨水の浸透量よりも流入量が上回ったときに、雨水が溢れだす恐れがあった。その対策として雨水浸透タンク部の表面積を増やすと、雨水貯溜タンク部の貯水量が減少してしまう、という問題が生じる。
【特許文献１】特開平９−４１４７０号公報
【発明の開示】
【発明が解決しようとする課題】
【０００６】
本発明は上記の問題に鑑みてなされたもので、その解決しようとする課題は、貯溜部の貯水量を減少させることなく、オーバーフローしたときの排水効率が良好で、雨水が溢れ出す心配のない地下水槽を提供することにある。
【課題を解決するための手段】
【０００７】
上記目的を達成するため、本発明に係る地下水槽は、地中に雨水を貯溜する貯溜部を形成し、該貯溜部の側面上部又は／及び天面部にオーバーフロー部を設けて、該貯溜部の天面及び側面及び底面に、通水部と透水面を有する通水・透水シートを添設し、天面の通水・透水シートは側面に添設された通水・透水シートを折り返すことで添設されていることを特徴とするものである。
【０００８】
本発明の地下水槽においては、通水・透水シートが、複数の透水孔を形成したシート面を透水面とし、且つ、両面又は片面に設けた多数の凸部相互間の連続空間を通水部としたものであり、該凸部の先端が貯溜部側に位置するように添設されていることが好ましい。また、通水・透水シートの両面又は片面を、透水性の被覆材で被覆したことが好ましく、透水性の被覆材が、不織布又は織布であることがより好ましい。特に、通水・透水シートの凸部の高さが５ｍｍ〜５０ｍｍであると共に貯溜部側に接する凸部先端の面積が１０ｍｍ２〜２５０ｍｍ２で、凸部間のピッチが１０ｍｍ〜１１０ｍｍである地下水槽が好ましい。
【０００９】
一方、通水・透水シートが厚手の不織布又は織布であって、その外側に多数の棒状突起を有する網体、又は、多数の棒状突起と透水部を有するパネル体が添設されている地下水槽も好ましい。また、貯溜部が、コンクリート、金属、合成樹脂のいずれかで形成された水槽である地下水槽や、貯溜部が、地中に形成した空間の側面上部又は／及び天面部を除いて遮水シートで被覆し、その遮水シートで被覆していない部分をオーバーフロー部としたものであり、その内部に方形の梁体とその梁体を支持する複数本の支持脚からなる地下水槽用充填材を充填した地下水槽が好ましい。
【発明の効果】
【００１０】
本発明の地下水槽は、貯溜部の天面及び側面及び底面に添設される通水・透水シートの通水部によって雨水の流路が形成される。従って、貯溜部のオーバーフロー部からオーバーフローした雨水は、通水・透水シートの通水部を流れて貯溜部の天面及び側面及び底面に均一に行き渡り、通水・透水シートの透水面から地中に浸透していく。このように、貯溜部の表面積分が浸透部として作用することになるので、浸透効率が非常に高く、地下水槽から雨水が溢れ出す心配がなくなる。しかも、オーバーフロー部を貯溜部の上部又は天面に設けているので、地下水槽に対する貯溜部の貯留容積の割合が非常に大きく、貯溜部の貯水量が減少するといった心配もない。
【００１１】
通水・透水シートが、複数の透水孔を形成したシート面を透水面とし、且つ、両面又は片面に設けた多数の凸部相互間の連続空間を通水部としたものであり、該凸部の先端が貯溜部側に位置するように添設されている地下水槽のように、通水・透水シートが上記のような構成であると、多数の凸部によって通水部が確実に形成されて土圧等で潰されたりする心配がないので、オーバーフローした雨水はスムーズに貯溜部の側面及び底面、又は、天面及び側面及び底面に均一に行き渡り、透水孔から地中に浸透していく。
【００１２】
また、通水・透水シートの両面又は片面を、透水性の被覆材で被覆した地下水槽は、通水・透水シートの透水孔に土が詰まるのを防止して、良好な通水性を確保することができる。
【００１３】
更に、透水性の被覆材が、不織布又は織布である地下水槽は、不織布又は織布が高いフィルター性能を発揮して、目詰まりをおこしにくく、速やかに雨水を地中に導くことができる。また、耐食性にも優れるため、長期間に亘って高い性能を維持することもできる。
【００１４】
特に、通水・透水シートの凸部の高さが５ｍｍ〜５０ｍｍであると共に貯溜部側に接する凸部先端の面積が１０ｍｍ２〜２５０ｍｍ２で、凸部間のピッチが１０ｍｍ〜１１０ｍｍである地下水槽のように、凸部の寸法、ピッチが上記のようであると、地下水槽に想定される０．５ｔｆ／ｍ２〜５ｔｆ／ｍ２程度の土圧にも充分耐え得ることができる。
【００１５】
一方、通水・透水シートが厚手の不織布又は織布であって、その外側に多数の棒状突起を有する網体、又は、多数の棒状突起と透水部を有するパネル体が添設されている地下水槽は、厚手の不織布又は織布が通水部と透水面を有する通水・透水シートとしての役割を果たす。このとき、不織布又は織布を貯溜部の周囲に添設するだけでは、土圧によって不織布又は織布の厚みが減少し、それに伴い通水性が悪くなるが、本発明の地下水槽は、多数の棒状突起を有する網体、又は、多数の棒状突起と透水部を有するパネル体で、不織布又は織布を外側から覆っているので、棒状突起がつっかえ棒の役目を果たし、不織布又は織布の厚みが減少し、通水性が悪化する心配がない。
【００１６】
そして、貯溜部が、コンクリート、金属、合成樹脂のいずれかで形成された水槽である地下水槽は、地面を掘り下げて、その掘り下げた空間にコンクリート、金属、合成樹脂のいずれかの水槽を埋めるだけで貯溜部を形成することができるので、施工が簡単で、且つ、耐圧性、耐久性にも優れる。しかも、水槽を地中に埋め戻す時に、通水・透水シートが添設してあるので土圧が均一に水槽に作用し、特定箇所に偏重して負荷がかかることがないので、水槽が破損するのを防止することもできる。また、埋め戻しの際、石のような硬いものがあっても、通水・透水シートでガードされて直接水槽にぶつかることがないので、水槽を破損させる心配がない。
【００１７】
また、貯溜部が、地中に形成した空間の側面上部又は／及び天面部を除いて遮水シートで被覆し、その遮水シートで被覆していない部分をオーバーフロー部としたものであり、その内部に方形の梁体とその梁体を支持する複数本の支持脚からなる地下水槽用充填材を充填した地下水槽は、耐圧強度が非常に優れる地下水槽用充填材を用いるので、駐車場の下など特に荷重がかかる場所に適している。また、充填材を用いることで任意に貯溜部の大きさを設定することができる。このように、貯留部内部を梁体と支持脚からなる充填材で充填した地下水槽の場合でも、前記と同様に土圧の均等化や埋め戻し時に硬いものがあたっとしても破損しないなどの効果を奏する。
【発明を実施するための最良の形態】
【００１８】
以下、図面を参照して本発明の具体的な実施形態を詳述する。
【００１９】
図１は本発明の一実施形態に係る地下水槽を示す概略断面図、図２は同地下水槽の構成部材である水槽の斜視図、図３は同地下水槽の構成部材である通水・透水シートを透水性の被覆材で被覆する前の状態を示す分解斜視図、図４は同通水・透水シートの部分断面図である。
【００２０】
本発明の地下水槽Ｔ１は、駐車場、公園、庭先などの地下に好適に設けられるもので、図１に示すように、雨水を貯溜する貯溜部１と、その貯溜部１の上部に設けられた複数のオーバーフロー部２と、貯溜部１の周囲に添設された通水・透水シート３とから構成されている。そして、地下水槽Ｔ１の周囲には側溝５が形成されており、この側溝５上部には、貯溜部１からオーバーフローした雨水を排出するオーバーフロー管５ａが連結されている。オーバーフロー管５ａ先端にはメッシュ部５ｂが取付けられており、豪雨時など側溝５から逆オーバーフローした雨水が、オーバーフロー管５ａを流れ、該メッシュ部５ｂを通過してゴミ等が取り除かれた綺麗な雨水が、取水点検口６を経路して貯溜部１に流入するようになっている。
【００２１】
上記取水点検口６には、貯溜部１に溜まった雨水を汲み上げる電動ポンプＰから延びる取水管７が配設されており、電動ポンプＰによって汲み上げられた雨水を洗車や水やり、トイレ等に利用できるようになっている。また、地下水槽Ｔ１の上部には、地下水槽Ｔ１内部を点検するための直径が２００φ程度の点検口８が設けられており、その点検口８から地下水槽Ｔ１を点検、整備するようになっている。そして、この点検口８は、流入管８ａを介して前置桝９と連結されており、家屋の堅樋（不図示）などに連結された排水管１１から前置桝９に流入した雨水が、貯溜部１に流入するようになっている。この際、前置桝９のバスケット部９ａによって、ゴミを除去することができ、また泥等は前置桝９下部の泥溜め部に沈殿するので、綺麗な雨水だけが地下水槽Ｔ１に流入する。
尚、本実施形態では、雨水を汲み上げるのに電動ポンプＰを用いているが、手動ポンプでもよいのは言うまでもない。また、前置桝８は、建築業界で多く使用されているものであればどのようなものでも構わない。
【００２２】
貯溜部１は、図２に示すように、上部が開口した断面凹型の樹脂製水槽１で、前側面上部、右側面上部、左側面上部、後側面上部にはそれぞれ一定の間隔をあけて複数の孔（オーバーフロー部２）が穿孔されている。このオーバーフロー部２によって、水槽１の貯水量を上回る大量の雨水が水槽１に流入しても、雨水が外部に排出されるようになっている。このオーバーフロー部２は、水槽１の上端から０ｃｍ〜２０ｃｍ程度下方に形成されている。
この水槽１の寸法は特に限定されないが、幅が０．５ｍ〜５０ｍ、長さが１ｍ〜５０ｍ、深さが０．５ｍ〜３ｍ程度のものが好適に使用される。オーバーフロー部は複数個形成してもよいし、１箇所でもよい。また、貯留水槽１の上部に設けてもよいし、天面に設けてもよく、その両方に設けても同様の効果を奏する。また、水槽１が上記サイズである場合、雨水のオーバーフロー量を考慮すると、オーバーフロー部２を複数箇所設けた場合の開口合計面積は流入する管の断面積と同等乃至流入管断面積の２倍程度であることが望ましく、通常は７５ｃｍ２〜１０００ｃｍ２である。従って、オーバーフロー部1箇所の開口面積は１００ｍｍ２〜１０００ｍｍ２が適当である（開口面積は小さすぎると槽内のゴミ等による目詰まりの原因となり、大きすぎると外部の砕石や土砂が槽内に入り込みやすくなる）。また、本実施形態の水槽１は合成樹脂製であるが、コンクリートや金属で形成することも可能であり、合成樹脂で形成する場合は、強度を保つために若干厚みを増したり、壁面をリブ構造としたり、或いは槽内部に補強材を充填したり、補強梁を形成することが好ましい。
【００２３】
上記水槽１は上部が開口したものなので、図２の仮想線で示すように、その上部開口を何らかの蓋で覆う必要がある。この上部開口を覆う蓋として種々のものが考えられるので特に限定はされないが、少なくともその上方からの土圧に耐え得るだけの強度が必要で、例えば、市場に流通している種々の覆蓋や、金属製、コンクリート製、合成樹脂製の方形板などが好適に使用される。
尚、水槽１と蓋は一体的に形成されていてもよいことはいうまでもない。
【００２４】
上記構成の水槽１の５面（前側面、後側面、右側面、左側面、底面）及び上部開口を覆う蓋には、次に説明する通水・透水シート３が添設されている。
【００２５】
即ち、図３に示す通水・透水シート３は、ポリエチレン（高密度ポリエチレン）やその他の熱可塑性樹脂から成るもので、截頭円錐形に類似した形状を有する多数の中空の凸部３ａが樹脂板両面に交互に突出して、雨水の排水空間を形成している。そして、図４に示すように、この凸部３ａには、多数の透水孔３ｂ（本実施形態では１つの凸部３ａに２つ。）が形成されており、水槽１のオーバーフロー部２からオーバーフローした雨水が、排水空間を流れて水槽１の側面及び底面に均一に行き渡ると共に、流路途中にある複数の透水孔３ｂより反対面側の排水空間へ流れ込んでいき、そこから地中に浸透していく。従って、水槽１の側面及び底面の表面積分が浸透部として作用することになるので、通水・透水シート３を被覆する後述の透水性被覆材４の通水性が高いのと相乗して、排水効率が非常に高く、地下水槽Ｔ１から水が溢れ出す心配がなくなる。
尚、この通水・透水シート３の寸法は特に限定されないが、上記水槽１との関係で、幅が６０ｃｍ〜２ｍで、長さが１ｍ〜５０ｍ程度のものが好適に使用される。また、この通水・透水シート３は、少なくとも水槽１と接する側に凸部３ａが設けられていれば効果を奏するものではあるが、本実施形態のように、両面に凸部３ａが設けられているほうが耐圧強度も高く、雨水が流れる排水空間も両面に形成されるのでより好ましい。
【００２６】
上記透水シート３の両面は、図４に示すように、透水性の被覆材４で被覆されている。この被覆方法は、通水・透水シート３の片面ごとに透水性被覆材４を貼着して被覆してもよいが、本実施形態のように、通水・透水シート３の周囲を１枚の透水性被覆材４で囲み、その端部同士を隙間ができないように布製粘着テープ４ａで貼ったり、熱融着で貼着すれば簡単に接続できるので好ましい。更に、透水シート３と透水性被覆材４は粘着テープで貼ったり、熱融着によって接合しておくことで施工性がより向上する。
【００２７】
上記透水性被覆材４として、引裂き強度が大きいポリプロピレン繊維等の合成樹脂繊維の不織布や織布が好適に使用され、このような透水性被覆材４は通水性に優れ、土粒子の侵入を防ぐにもかかわらず、目詰まりをおこしにくく、速やかに雨水を通水・透水シート３の排水空間に導くといった効果を奏する。
尚、透水性被覆材４は、必ずしも通水・透水シート３の両面を被覆する必要があるものではなく、土側に接する部分だけを被覆すれば効果を奏するものであるが、水槽１の破損を防ぐためにも、通水・透水シート３の両面を被覆することが好ましい。
【００２８】
上記凸部３ａの高さ、凸部３ａ先端の直径、凸部３ａ，３ａ間のピッチ等については特に限定されないが、排水能力、強度等を考慮すると、凸部３ａの高さを５ｍｍ〜５０ｍｍ程度、凸部３ａ先端の面積を１０ｍｍ２〜２５０ｍｍ２程度、凸部３ａ，３ａ間のピッチを１０ｍｍ〜１１０ｍｍ程度に設定することが望ましい。凸部３ａ突起の高さが５ｍｍより低く、且つ、凸部３ａ，３ａ間のピッチが１０ｍｍより狭くなると、凸部３ａと凸部３ａの間の排水空間が小さくなりすぎるため、排水能力の低下をきたすといった不都合を生じるし、逆に、凸部３ａの高さが５０ｍｍより高く、且つ、凸部３ａ，３ａのピッチ間隔が１１０ｍｍより広くなると、凸部３ａ，３ａ間の排水空間が大きくなりすぎるため、土圧によって後述する透水性被覆材４が排水空間に押し込まれ、結果的に排水空間が小さくなったり、透水性被覆材４が破れたりする不都合を生じるので、いずれの場合も好ましくない。また、凸部３ａ先端の面積が１０ｍｍ２より小さくなると、土圧が作用したときに透水性被覆材４が凸部３ａによって破損しやすくなるので、やはり好ましくない。凸部３ａは中空でなくてもよいが、中実の凸部３ａを形成すると、重量が増して持ち運びしにくくなり、使用樹脂量の増加によりコストも高くなるので、中空の凸部３ａとするのが望ましい。また、凸部３ａの形状は、截頭円錐形に類似した形状に限定されるものではなく、円錐形、または截頭角錐形、角錐形、その他の任意形状となし得るが、この実施例のような截頭円錐形に類似の形状とすると、成形性や耐圧強度が向上し、また水槽の外壁面に土圧を点荷重的に伝えることがなく、且つ、排水の流れ抵抗が小さくなって排水性が向上するという利点があるので好ましい。
【００２９】
凸部３ａが上記のような寸法であると、耐圧強度が１５ｔｆ／ｍ２〜５０ｔｆ／ｍ２と非常に高い耐圧性能を持つため、土中の高圧力下でも凸部３ａが破損する恐れがない。しかも、軽量で、フレキシブルなため、切断や接続作業も容易で簡単に施工することができる。
【００３０】
以上のような部材からなる地下水槽Ｔ１の、施工手順の一例を説明する。
【００３１】
まず、地面Ｇを掘削して、水槽１を埋設するスペースを確保する。そして、そのスペースの側面及び底面に透水性被覆材４で被覆された通水・透水シート３を敷設する。この際、水槽１天面部にも通水・透水シート３を添設するのが好ましいので、側面に敷設される通水・透水シート３は、折り返して水槽１天面部に添設できるだけ余分を持たせて敷設することが好ましい。
尚、通水・透水シート３の長さが足りなくて通水・透水シート３同士を接続する場合は、上記透水性被覆材４を一旦剥がし、双方の通水・透水シート３端部の凸部３ａ，３ａを互いに嵌合させたのち、透水性被覆材４の重なった部分を布製粘着テープ４ａで止めるだけで簡単に行える。また、通水・透水シート３を初めから水槽１に添設させておくこともできるが、施工性を考慮すると本施工手順のほうが好ましい。
【００３２】
次に、水槽１を掘削スペースに設置し、通水・透水シート３を水槽１の側面及び底面に添設させる。そして、前述した種々の部材（オーバーフロー管５ａ、取水点検口６、ポンプ、取水管７、点検口８等）を配置したのち、水槽１の上部開口を蓋で覆うと共に、余った通水・透水シート３を折り返して上部開口（天面部）に添設し、その上方から覆土することで完成する。
尚、通水・透水シート３は、少なくともオーバーフロー部２より下方を覆っていれば排水性が良好に保たれるが、本実施形態のように、水槽１の上部開口の蓋まで覆うと、覆土したとき、土や石などによって蓋が破損される恐れがなくなるので、できる限り水槽１の上部開口（天面部）も覆うことが好ましい。
【００３３】
上記説明から明らかなように、本発明の地下水槽Ｔ１は、地面を掘削して、その空間に通水・透水シート３を添設した水槽１を埋めるだけなので、施工が簡単で、且つ、耐圧性、耐久性に優れる。そして、豪雨等で水槽１のオーバーフロー部２より雨水がオーバーフローしても、雨水は通水・透水シート３の多数の凸部３ａによって形成された排水空間を流れて水槽１の側面及び底面に均一に行き渡り、その流路の途中に形成された通水・透水シート３の透水孔３ｂから地中に浸透していく。従って、水槽１の側面及び底面の表面積分が浸透部として作用することになるので、排水効率が非常に高く、地下水槽から水が溢れ出す心配がなくなる。しかも、透水性被覆材４が、高いフィルター性能を発揮すると共に、耐久性に優れるので、長期間に亘って高い性能を維持することができる。また、オーバーフロー部２より下側を貯溜空間として利用できるので、地下水槽Ｔ１に対する貯留容積の割合が非常に大きい。
【００３４】
図５は本発明の他の実施形態に係る地下水槽の概略断面図、図６は同地下水槽の構成部材である地下水槽用充填材の斜視図、図７は同充填材を前後左右に連結する前の状態を示す部分拡大斜視図、図８は同充填材を上下に連結する前の状態を示す部分拡大斜視図である。
【００３５】
この実施形態の地下水槽Ｔ２は、図５に示すように、地面Ｇを掘削した空間に前述した通水・透水シート３を敷設し、その通水・透水シート３の上からゴムシートなどの遮水シート３０を被覆することで貯溜部１０を形成したものである。このとき、通水・透水シート３は、前述した地下水槽Ｔ１と同様に、折り返して貯溜部１０の上面に添設できるだけの余分を持たせて敷設することが好ましい。また、遮水シート３０は、貯溜部１０の上端ぎりぎりまで被覆しないで、雨水がオーバーフローするだけのスペースを確保するため、上部を少し残して被覆する。このように、遮水シート３０と土面の間に通水・透水シート３を添設し、貯溜部１０上部を少し残して遮水シート３０を被覆することで、遮水シート３０上端から貯溜部１０の上面までが雨水を排水するオーバーフロー部２０となる。このオーバーフロー部２０からオーバーフローした雨水は、前述した地下水槽Ｔ１と同様に、貯溜部１０の側面及び底面に均一に行き渡り、その流路の途中に形成された通水・透水シート３の透水孔３ｂから地中に浸透していくので、排水効率が非常に高く、地下水槽から水が溢れ出す心配がなくなる。
【００３６】
上記のように構成された貯溜部１０を補強するため、次に説明する地下水槽用充填材１２を用いる。
【００３７】
即ち、図６に示す地下水槽用充填材１２は合成樹脂製の充填材で、方形の梁体１３の四隅に４本の支持脚１４が設けられたものである。そして、その梁体１３側面の隣り合う２面には係止部１３ａが形成されると共に、残りの２面には被係止部１３ｂが形成されており、また、梁体１３上面の四隅には支持脚１４と嵌合する方形の凹穴１３ｃが形成されている。
【００３８】
上記構成の地下水槽用充填材１２で地下水槽Ｔ２を充填するには、まず、図７に示すように、梁体１３に形成された係止部１３ａと被係止部１３ｂとを係止させて、地下水槽用充填材１２を左右に連結する。次いで、図８に示すように、支持脚１４下端部と梁体１３の凹部１３ａを嵌合させて上下の連結を行う。この作業を繰り返すことで、地下水槽Ｔ２は充填される。
尚、本実施形態で用いる地下水槽用充填材１２は、あくまでも一例であり、この地下水槽用充填材１２に限定されるものではなく、種々の地下水槽用充填材を用いることができる。例えば、地下水槽用充填材１２を連結する際に、被係止部１３ｂを有する充填材１２同士を連接させて、断面がＨ形状の連結駒部材（不図示）を用い、Ｈ形状の駒部材の下部脚を被係止部１３ｂ、被係止部１３ｂに嵌入させて連結させてもよい。
【００３９】
上記のように、地下水槽用充填材１２で地下水槽Ｔ２の充填が終わると、最上段の地下水槽用充填材１２の上に合成樹脂製の方形の板を載置し、その上から覆土して地下水槽Ｔ２が完成する。
【００４０】
この地下水槽のその他の構造は、前述した図１〜図４に示す実施形態の地下水槽と同様であるから、説明を省略する。
【００４１】
以上のような構成の地下水槽Ｔ２は、地下水槽用充填材１２が上方からの荷重に対して非常に強いので、荷重がかかる場所（駐車場の下など）に適している。また、地下水槽用充填材１２の数を増やしたり減らしたりすることで様々な大きさの地下水槽にも対応することができ、任意に地下水槽Ｔ２の大きさを設定することができる。
【００４２】
図９は本発明の更に他の実施形態に係る地下水槽の概略断面図、図１０は同地下水槽の構成部材である厚手の不織布又は織布の添設状態を示す部分拡大断面図、図１１は同地下水槽の構成部材である網体の斜視図である。
【００４３】
図９に示す地下水槽Ｔ３は、前述した水槽１の周囲に厚手の不織布３Ａを添設し、更にその厚手の不織布３Ａ（側面及び底面）の外側から図１１に示す網体Ｎを添設したものである。このとき、厚手の不織布３Ａも、前述した地下水槽Ｔ１と同様に、水槽１を埋設したのち、折り返して水槽１の上面に添設できるだけの余分を持たせることが好ましい。
【００４４】
上記厚手の不織布３Ａは、前述した透水性の被覆材４と同様、引裂き強度が大きいポリプロピレン繊維等の合成樹脂繊維で成形されたものである。不織布は周知のように通水性に優れるので、通水・透水シートとしての役割を果たすが、雨水の流路である通水部と雨水が地中に浸透する浸透部である透水面を確実に確保するため、通常の不織布や織布よりも遥かに厚みを大きくする必要があり、厚みが５ｍｍよりも小さいと雨水の流路が充分に形成されないので、およそ５ｍｍ〜２０ｍｍ程度のものが好適に使用される。
尚、厚手の不織布３Ａは厚手の織布であっても同様の効果を奏する。
【００４５】
一方、上記網体Ｎは、図１１に示すように、縦糸と横糸で形成された方形の角目を有する合成樹脂製の網体で、縦糸と横糸のおのおのの交点からは棒状突起Ｎ１が突設されている。この網体Ｎを厚手の不織布３Ａに添設するには、図１０に示すように、厚手の不織布３Ａの周囲（側面及び底面）を網体Ｎで取り囲み、棒状突起Ｎ１を厚手の不織布３Ａに突き刺すことで簡単に添設することができるので、止具等での固定が不要となり施工性が良い。通常、厚手の不織布３Ａを水槽１の周囲に添設するだけでは、土圧によって厚手の不織布３Ａの厚みが減少し、それに伴い通水性が悪くなるが、この網体Ｎを厚手の不織布３Ａの外側から添設することで、図１０に示すように、棒状突起Ｎ１の先端面が水槽１に接触してつっかえ棒の役目を果たすので、厚手の不織布３Ａの厚みが土圧によって減少する心配がなくなり、良好な通水性を確保することができる。
この網体Ｎの寸法は特に限定されないが、棒状突起Ｎ１の高さは、上記厚手の不織布３Ａと同じ乃至略同じである必要があるので５ｍｍ〜２０ｍｍ程度、網体Ｎの厚みが１ｍｍ〜５ｍｍ程度、縦糸及び横糸の太さが１ｍｍ〜５ｍｍ程度、角目の開口面積が１００ｍｍ２〜１０００ｍｍ２程度ものが好適に使用される。
尚、本実施形態のように網体Ｎが合成樹脂製であると、添設する際の折り曲げ加工が容易で、しかも、軽量であるので施工性が良好で好ましいが、金属製であってもよいことはいうまでもない。また、多数の棒状突起Ｎ１と透水部を有するのであれば、網体に限定されるものではなく、例えばパネル体であってもよい。
この地下水槽のその他の構造は、前述した図１〜図８に示す実施形態の地下水槽と同様であるから、説明を省略する。
【００４６】
以上のような構成の地下水槽Ｔ３は、厚手の不織布３Ａが通水部と透水面を有する通水・透水シートとしての役割を充分に果たし、また、厚手の不織布３Ａの外側に添設した多数の棒状突起Ｎ１を有する網体Ｎで、土圧による不織布３Ａの厚みの減少を防止するので、前述した地下水槽Ｔ１，Ｔ２と同様の優れた効果を奏する。
【図面の簡単な説明】
【００４７】
【図１】本発明の一実施形態に係る地下水槽を示す概略断面図である。
【図２】同地下水槽の構成部材である水槽の斜視図である。
【図３】同地下水槽の構成部材である通水・透水シートを透水性の被覆材で被覆する前の状態を示す分解斜視図である。
【図４】同通水・透水シートの部分断面図である。
【図５】本発明の他の実施形態に係る地下水槽の概略断面図である。
【図６】同地下水槽の構成部材である地下水槽用充填材の斜視図である。
【図７】同充填材を前後左右に連結する前の状態を示す部分拡大斜視図である。
【図８】同充填材を上下に連結する前の状態を示す部分拡大斜視図である。
【図９】本発明の更に他の実施形態に係る地下水槽の概略断面図である。
【図１０】同地下水槽の構成部材である厚手の不織布又は織布の添設状態を示す部分拡大断面図である。
【図１１】同地下水槽の構成部材である網体の斜視図である。
【符号の説明】
【００４８】
Ｔ１，Ｔ２，Ｔ３  地下水槽
１    貯溜部（水槽）
１０  貯溜部
２、２０  オーバーフロー部
３    通水・透水シート
３Ａ  厚手の不織布（又は織布）
３０  遮水シート
３ａ  凸部
３ｂ  透水孔
４    透水性の被覆材（不織布）
１２  地下水槽用充填材
１３  梁体
１４  支持脚
Ｇ    地面
Ｎ    網体
Ｎ１  棒状突起
【図１】
0005117793.tif 000002
【図２】
0005117793.tif 000003
【図３】
0005117793.tif 000004
【図４】
0005117793.tif 000005
【図５】
0005117793.tif 000006
【図６】
0005117793.tif 000007
【図７】
0005117793.tif 000008
【図８】
0005117793.tif 000009
【図９】
0005117793.tif 000010
【図１０】
0005117793.tif 000011
【図１１】
0005117793.tif 000012